(57)【要約】      （修正有）【課題】乳幼児用キャリアや乳母車内の乳幼児に優れた冷却効果を提供し、熱中症対策及び快適な環境提供を実現することが可能な乳幼児用カバーを提供する。【解決手段】乳幼児用カバーは、乳幼児用キャリア中の乳幼児を覆う布体２と、布体内に外気を供給するファン３と、布体を乳幼児用キャリアに着脱自在に固定する留め具４と、を具備する。【選択図】図１
0003231466.tif 000002
【実用新案登録請求の範囲】
【請求項１】
乳幼児用キャリア中の乳幼児を覆う布体と、
前記布体内に外気を供給するファンと、
前記布体を前記乳幼児用キャリアに着脱自在に固定する留め具と、
を具備することを特徴とする乳幼児用カバー。
【請求項２】
前記布体の縁部に沿って設けられ、前記縁部を伸び縮みさせる伸縮部を更に含むこと、
を特徴とする請求項１に記載の乳幼児用カバー。
【請求項３】
前記布体の内側及び外側の少なくとも一方において前記ファンを覆う通気性カバーを更に含むこと、
を特徴とする請求項１又は２に記載の乳幼児用カバー。
【請求項４】
前記乳幼児の頭部を覆うフードを更に含むこと、
を特徴とする請求項１〜３のいずれかに記載の乳幼児用カバー。
【考案の詳細な説明】
【技術分野】
【０００１】
本考案は、乳幼児用キャリアや乳母車等に着脱自在に取り付けられる乳幼児用カバーに関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが重要であり、処置が遅れると死に至るケースもある。
【０００３】
上記のような熱中症対策及び快適な作業環境を提供するために、身体を冷却しつつ作業や運動を可能とする空調衣服が知られている（例えば、特許文献１参照）。空調衣服とは、衣服用ファンが取り付けられた衣服であり、衣服と、身体又は下着と、の間に外気を取り入れて、衣服内の空気を強制的に入れ替えるものである。
【先行技術文献】
【特許文献】
【０００４】
【特許文献１】国際公開第０２／０６７７０８号パンフレット
【考案の概要】
【考案が解決しようとする課題】
【０００５】
しかしながら、乳幼児用キャリアや乳母車内の乳幼児は熱中症対策及び快適な環境提供を実現するために空調衣服を有効に利用することが期待できず、何らかの方法が望まれている。
【０００６】
そこで、本考案の目的は、上記問題に鑑みて創作されたものであり、乳幼児用キャリアや乳母車内の乳幼児に優れた冷却効果を提供することによって熱中症対策及び快適な環境提供を実現することが可能な乳幼児用カバーを提供することにある。
【課題を解決するための手段】
【０００７】
上記の課題を解決すべく、本考案は、
乳幼児用キャリア中の乳幼児を覆う布体と、
前記布体内に外気を供給するファンと、
前記布体を前記乳幼児用キャリアに着脱自在に固定する留め具と、
を具備することを特徴とする乳幼児用カバー、を提供する。  なお、本考案における「乳幼児用キャリア」は、抱っこ紐、スリング及び乳母車等の、乳幼児を運ぶために用いられる物品を広く含む概念である。
【０００８】
また、上記の本考案の乳幼児用カバーでは、前記布体の縁部に沿って設けられ、前記縁部を伸び縮みさせる伸縮部を更に含むこと、が好ましい。
【０００９】
また、上記の本考案の乳幼児用カバーでは、前記布体の内側及び外側の少なくとも一方において前記ファンを覆う通気性カバーを更に含むこと、が好ましい。
【００１０】
また、上記の本考案の乳幼児用カバーでは、前記乳幼児の頭部を覆うフードを更に含むこと、が好ましい。
【考案の効果】
【００１１】
本考案によれば、乳幼児用キャリアや乳母車内の乳幼児に優れた冷却効果を提供して、熱中症対策及び快適な環境提供を実現することが可能な乳幼児用カバーを提供することができる。
【図面の簡単な説明】
【００１２】
【図１】本考案の一実施形態に係る乳幼児用カバー１の使用態様を示す図である。
【図２】乳幼児用カバー１の斜視図である。
【図３】乳幼児用カバー１の正面図、背面図、側面図、上面図及び底面図である。
【図４】展開した状態及び折り畳まれた状態の布体２を示す図である。
【考案を実施するための形態】
【００１３】
以下、本考案に係る乳幼児用カバーの代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。
【００１４】
図１（Ａ），（Ｂ）に例示するように、乳幼児用カバー１は、抱っこ紐・スリング等の乳幼児用キャリア９１や乳母車９２等に装着された状態で使用される。乳幼児用カバー１は、布体２、ファン３及び留め具４を具備する。なお、留め具４は留め具４１〜４４の総称である。
【００１５】
布体２は、乳幼児用キャリア９１中の又は乳母車９２中の乳幼児を覆う。布体２を構成する生地としては、編物、織物、不織布のいずれでも構わないし、天然繊維及び化学繊維のいずれが用いられてもよい。
【００１６】
図２に示すように、布体２には、ファン３の取付孔２１が形成されている。また、図３（Ｂ）及び図４に示すように、布体２には、バッテリ３１を収納するためのポケット２２、及び、布体２２を収納するためのポケット２３が設けられている。
【００１７】
ファン３は、布体２内に外気を供給する部材であり、布体２の取付孔２１に着脱自在に装着されている。ファン３は、例えば、ポケット２２に収納されたバッテリ３１から電力の供給を受ける（図３（Ｂ）参照）。なお、ファン３をオン・オフしたり風量を調節したりするためのスイッチは、バッテリ３１又はファン３に一体的に設けられていてもよいし、独立した部品でもよい。
【００１８】
留め具４（４１〜４４）は、布体２を乳幼児用キャリア９１又は乳母車９２に着脱自在に固定する。例えば図３（Ｂ）に示すように、留め具４は、伸縮性の紐ないし帯（例えばゴム紐）とクリップとから構成され、長さを調整することが可能である。ただし、留め具４は、帯状の面ファスナでもよい。
【００１９】
乳幼児用カバー１は、伸縮部５を更に含んでいてもよい。図３（Ｂ）〜（Ｅ）に示すように、伸縮部５は、布体２の縁部に沿って設けられ、縁部を伸び縮みさせる。伸縮部５は、例えばゴム紐であり、例えば伸長した状態で布体２の縁部に縫い付けられている。したがって、通常の状態では布体２の縁部は縮んでおり、布体２が袋状ないしドーム状になっている。したがって、布体２は、乳幼児用キャリア９１又は乳母車９２のサイズ及び乳幼児Ｂのサイズにフィットするように縁部を伸長でき、ファン３からの風が布体２の外に漏れにくい。
【００２０】
例えば図３（Ａ），（Ｂ）に示すように、乳幼児用カバー１は、布体２の内側及び外側においてファン３を覆う通気性カバー６１，６２を更に含んでいてもよい。内側の通気性カバー６１は、ファン３から乳幼児Ｂを保護するために設けられ、外側の通気性カバー６２は、ファン３を保護するために設けられる。なお、通気性カバー６１，６２のいずれか一方だけが乳幼児用カバー１に設けられてもよい。
【００２１】
乳幼児用カバー１は、乳幼児Ｂの頭部を覆うフード７を更に含んでいてもよい。乳幼児Ｂにフード７を被せることで、乳幼児Ｂの頭部にまで空気を循環させることができ、冷却効果が向上する。
【００２２】
次いで、乳幼児用カバー１の使用方法を説明する。
図１（Ａ）に示すように乳幼児用キャリア９１中の乳幼児Ｂに乳幼児用カバー１を適用する場面では、まず布体２にファン３を装着する。次いで、布体２を乳幼児用キャリア９１中の乳幼児Ｂに被せ、留め具４を乳幼児用キャリア９１に取り付ける。ファン３のスイッチを投入すると、ファン３は外気を布体２内に供給し、布体２内の空気が流動ないし循環する。このとき、布体２内の空気の一部分は、乳幼児Ｂを抱く人Ｈの首元に流れ出る。
【００２３】
したがって、乳幼児用キャリア９１中の乳幼児Ｂに優れた冷却効果を提供することができるとともに、乳幼児Ｂを抱く人Ｈにも冷却効果を提供することができる。これにより、乳幼児用キャリア９１中の乳幼児Ｂ及び乳幼児Ｂを抱く人Ｈに熱中症対策及び快適な環境提供を実現することができる。
【００２４】
あるいは、乳幼児Ｂが乳母車９２に乗せられているときには、図１（Ｂ）に示すように、布体２を乳母車９２中の乳幼児Ｂに被せ、留め具４を乳母車９２に取り付ける。ファン３のスイッチを投入すると、ファン３は外気を布体２内に供給し、布体２内の空気が流動ないし循環する。
【００２５】
したがって、乳母車９２内の乳幼児Ｂに優れた冷却効果を提供することができ、これにより乳母車９２内の乳幼児Ｂに熱中症対策及び快適な環境提供を実現することができる。
【００２６】
なお、乳幼児用カバー１を使用しないときには、図４（Ａ），（Ｂ）に示すように、布体２をポケット２３内にコンパクトに収納することが可能であり、保管が容易である。
【００２７】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【符号の説明】
【００２８】
１  乳幼児用カバー
２  布体
３  ファン
４，４１〜４４  留め具
５  伸縮部
７  フード
６１，６２  通気性カバー
【図１】
0003231466.tif 000003
【図２】
0003231466.tif 000004
【図３】
0003231466.tif 000005
【図４】
0003231466.tif 000006